(57)【要約】【課題】  光学素子の重さ及び浮上スライダの厚さを規定することで、浮上スライダのたわみ量を許容値内とすることができ、それにより浮上スライダを安定して浮上させることが可能な光学ヘッド、及び当該光学ヘッドを備えた光記録／再生用光学装置を提供する。【解決手段】  光学ヘッド１は、記録媒体４０に情報の記録及び／又は記録媒体４０から情報の再生を行う際に、当該記録媒体４０と所定の間隔を保持した状態で浮上し当該記録媒体上を相対的に走行する浮上スライダ１１と、前記浮上スライダ１１に接着され、入射光を所定の位置に集光する光学素子１０とを備える。そして、前記光学素子１０の重さｗ（ｍｇ重）と、前記浮上スライダ１１の平均厚さｈ（ｍｍ）とは、条件式ｗ／ｈ３≦５００００を満たす。【選択図】      図２
2007073112.tif 000002
【特許請求の範囲】
【請求項１】
記録媒体に情報の記録及び／又は記録媒体から情報の再生を行う際に、当該記録媒体と所定の間隔を保持した状態で浮上し当該記録媒体上を相対的に走行する浮上スライダと、
前記浮上スライダに固着され、入射光を所定の位置に集光する光学素子と、
を備え、
前記光学素子の重さをｗ（ｍｇ重）、前記浮上スライダの平均厚さをｈ（ｍｍ）としたときに、条件式ｗ／ｈ３≦５００００を満たすことを特徴とする光学ヘッド。
【請求項２】
前記光学素子の重さｗが、０．２（ｍｇ重）以上４０（ｍｇ重）以下であることを特徴とする請求項１記載の光学ヘッド。
【請求項３】
前記浮上スライダの平均厚さｈが、０．０１（ｍｍ）以上０．６（ｍｍ）以下であることを特徴とする請求項１又は２に記載の光学ヘッド。
【請求項４】
前記光学素子は、前記入射光に対する透過率が５０％以上である材料からなることを特徴とする請求項１乃至３のいずれかに記載の光学ヘッド。
【請求項５】
前記浮上スライダは、前記入射光に対する透過率が５０％以上である材料からなることを特徴とする請求項１乃至４のいずれかに記載の光学ヘッド。
【請求項６】
前記光学素子は、前記入射光を所定の位置に集光するための屈折面若しくは反射面若しくは回折面のいずれか１つを少なくとも有することを特徴とする請求項１乃至５のいずれかに記載の光学ヘッド。
【請求項７】
記録媒体と対向する面に浮上に寄与しない部分を有し、記録媒体に情報の記録及び／又は記録媒体から情報の再生を行う際に、当該記録媒体と所定の間隔を保持した状態で浮上し当該記録媒体上を相対的に走行する浮上スライダと、
前記浮上スライダに固着され、入射光を所定の位置に集光する光学素子と、
を備え、
前記光学素子の重さをｗ（ｍｇ重）、前記浮上スライダの平均厚さをｈ（ｍｍ）としたときに、条件式ｗ／ｈ３≦５００００を満たすことを特徴とする光学ヘッド。
【請求項８】
前記光学素子の重さｗが、０．２（ｍｇ重）以上４０（ｍｇ重）以下であることを特徴とする請求項７記載の光学ヘッド。
【請求項９】
前記浮上スライダの平均厚さｈが、０．０１（ｍｍ）以上０．６（ｍｍ）以下であることを特徴とする請求項７又は８に記載の光学ヘッド。
【請求項１０】
前記光学素子は、前記入射光に対する透過率が５０％以上である材料からなることを特徴とする請求項７乃至９のいずれかに記載の光学ヘッド。
【請求項１１】
前記浮上スライダは、前記入射光に対する透過率が５０％以上である材料からなることを特徴とする請求項７乃至１０のいずれかに記載の光学ヘッド。
【請求項１２】
前記光学素子は、前記入射光を所定の位置に集光するための屈折面若しくは反射面若しくは回折面のいずれかを有することを特徴とする請求項７乃至１１のいずれかに記載の光学ヘッド。
【請求項１３】
記録媒体に情報の記録及び／又は記録媒体から情報の再生を行う際に、所定の浮上量を保ちながら当該記録媒体上を相対的に走行する浮上スライダと、
前記浮上スライダに固着され、入射光を所定の位置に集光する光学素子と、
を備え、前記浮上スライダのたわみ量が前記浮上量より小さいことを特徴とする光学ヘッド。
【請求項１４】
所定の波長のレーザ光を出射する光源と、
前記光源が出射するレーザ光を入射光として所定の位置に集光する請求項１乃至１３のいずれかに記載の光学ヘッドを備え、当該光学ヘッドにより記録媒体に情報の記録及び／又は記録媒体から情報の再生を行うことを特徴とする光記録／再生用光学装置。
【発明の詳細な説明】
【技術分野】
【０００１】
本発明は、光学素子と浮上スライダとを備え、近接場光学を利用して記録媒体に情報の記録及び／又は記録媒体から情報の再生を行う際に用いられる光学ヘッドと、当該光学ヘッドを備え、情報の記録及び／又は再生を行う光記録／再生用光学装置と、に関する。
【背景技術】
【０００２】
光ディスク等の記録媒体のさらなる高記録密度化を達成するためには、なるべく高い開口数（ＮＡ）を有する光学素子を用いて光を回折限界まで集光し、微小な光スポットを得ることが必要である。しかしながら、従来の光学レンズでは、すでにＮＡが１．０に近づいていたために、光スポットの小径化は限界に達していた。そこで、近年、高屈折率物質からなる固侵レンズ（ＳＩＬ：Ｓｏｌｉｄ  Ｉｍｍｅｒｓｉｏｎ  Ｌｅｎｓ）や固浸ミラー（ＳＩＭ：Ｓｏｌｉｄ  Ｉｍｍｅｒｓｉｏｎ  Ｍｉｒｒｏｒ）等を用いて光の実効的なＮＡを大きくする方法が提案されている。
【０００３】
このＳＩＬやＳＩＭから発生し、記録媒体に情報の記録及び／又は記録媒体から再生を行う際に用いられる光のことを近接場光（エバネッセント光）という。通常、光には伝播光と非伝播光とがあり、近接場光は後者に属する。近接場光は、微小物質表面から空気側にわずかに滲み出した非伝播光であり、その滲み出しの大きさは入射光の波長だけではなくレンズ等の光学素子の大きさや当該光学素子を形成する材料の光学特性にも依存する。したがって、例えば、光学素子の大きさを入射光の波長より小さく制限することにより、入射光の波長より小さな領域への情報の記録及び／又は再生を行うことが可能となる。
【０００４】
ただし、近接場光は物体近傍に発生する局在光であるから、当該近接場光を用いて記録媒体に情報の記録及び／又は記録媒体から情報の再生を行う際には、記録／再生ヘッドと記録媒体との距離を、例えば使用波長の１／１０以下（１０（ｎｍ）〜５０（ｎｍ）程度）に近づける必要がある。
【０００５】
例えば、特許文献１には、光学素子とスライダ部材とを組み合わせ、これらを光学的に一体とした光学ヘッド用スライダに係る技術が開示されている。この特許文献１に係る技術によれば、光学素子とスライダ部材とからなる光学系のＮＡが１以上とされることにより、微小な光スポットを実現できるとともに製造が容易なスライダを提供できる。また、特許文献２には、記録媒体の回転により発生する空気流を制御する溝部を設けることにより、記録媒体とスライダとの間隔を数ｎｍ〜数十ｎｍ程度の範囲で安定させる技術が開示されている。
【特許文献１】特開２０００−１１３４８４号公報
【特許文献２】特開２００１−３４９７９号公報
【発明の開示】
【発明が解決しようとする課題】
【０００６】
しかしながら、特許文献１に係る光学ヘッド用スライダ及び特許文献２に係る光学ヘッドでは、いずれも光学素子の重さやスライダ部材の厚み等に関しての記載はなく、光学素子の重さによるスライダ部材のたわみの影響も考慮されていない。
【０００７】
本発明はこのような状況に鑑みてなされたものであり、光学素子の重さ及び浮上スライダの厚さを規定することで、浮上スライダのたわみ量を許容値内とすることができ、それにより浮上スライダを安定して浮上させることが可能な光学ヘッド、及び当該光学ヘッドを備えた光記録／再生用光学装置を提供することを目的とする。
【課題を解決するための手段】
【０００８】
請求項１記載の発明は、光学ヘッドであって、記録媒体に情報の記録及び／又は記録媒体から情報の再生を行う際に、当該記録媒体と所定の間隔を保持した状態で浮上し当該記録媒体上を相対的に走行する浮上スライダと、前記浮上スライダに固着され、入射光を所定の位置に集光する光学素子と、を備え、前記光学素子の重さをｗ（ｍｇ重）、前記浮上スライダの平均厚さをｈ（ｍｍ）としたときに、条件式ｗ／ｈ３≦５００００を満たすことを特徴とする。
【０００９】
この構成によれば、浮上スライダと光学素子とを備えた光学ヘッドにおいて、光学素子の重さと浮上スライダの平均厚さとの間に条件を課している。通常、光学素子の重さが軽い方が、また浮上スライダの平均厚さが厚い方が浮上スライダのたわみ量を小さく抑えることができる。これを具体的な条件式の形で課すことにより、たわみ量を小さく抑えることが可能となり、光学ヘッドにおいて浮上スライダと記録媒体との接触等の不具合を防止し、安定した浮上を実現し得る。
【００１０】
ここで、浮上スライダの平均厚さとは、浮上スライダにおいて、たわみの大きさを決定する部分のみの厚さの平均である。つまり、浮上スライダのたわみに影響を与えない部分の厚さは考慮する必要がない。また、ある質量の物体に働く重力の大きさが重さであり、例えば質量Ａ（ｍｇ）の物体に働く重力の大きさ（重さ）がＡ（ｍｇ重）である。
【００１１】
請求項２記載の発明は、請求項１記載の光学ヘッドであって、前記光学素子の重さｗが、０．２（ｍｇ重）以上４０（ｍｇ重）以下であることを特徴とする。
【００１２】
この構成によれば、光学素子の重さｗが０．２（ｍｇ重）以上あるので、例えば、光学素子と浮上スライダとの固着等の際の取り扱いに困難が生じない程度の大きさを確保し得る。また、光学素子の重さｗを４０（ｍｇ重）以下に抑えてあるので、それを支える浮上スライダの幅や厚さを小さく抑え得る。
【００１３】
請求項３記載の発明は、請求項１又は２に記載の光学ヘッドであって、前記浮上スライダの平均厚さｈが、０．０１（ｍｍ）以上０．６（ｍｍ）以下であることを特徴とする。
【００１４】
この構成によれば、浮上スライダの平均厚さｈが０．０１（ｍｍ）以上あるので、取り扱いに困難は生じず、取り扱い時の破損等を防ぎ得る。また、浮上スライダの平均厚さｈを０．６（ｍｍ）以下に抑えてあるので、浮上スライダに固着される光学素子の厚さをその分厚くし、必要な厚さを確保し得る。
【００１５】
請求項４記載の発明は、請求項１乃至３のいずれかに記載の光学ヘッドであって、前記光学素子は、前記入射光に対する透過率が５０％以上である材料からなることを特徴とする。
【００１６】
この構成によれば、光学素子の透過率が５０％以上であるので、記録に必要な光量を少なくし、光学素子が光を吸収することによる発熱を小さく抑え得る。また、記録媒体の回転数を軸受機構により回転可能な程度にまで低く抑え得る。さらに、集光点に集光される光量の減少も小さく抑えることができるため、当該集光点から滲み出す近接場光の光量の減少も小さく抑え得る。
【００１７】
請求項５記載の発明は、請求項１乃至４のいずれかに記載の光学ヘッドであって、前記浮上スライダは、前記入射光に対する透過率が５０％以上である材料からなることを特徴とする。
【００１８】
この構成によれば、浮上スライダの透過率が５０％以上であるので、記録に必要な光量を少なくし、浮上スライダが光を吸収することによる発熱を小さく抑え得る。また、記録媒体の回転数を軸受機構により回転可能な程度にまで低く抑え得る。さらに、集光点に集光される光量の減少も小さく抑えることができるため、当該集光点から滲み出す近接場光の光量の減少も小さく抑え得る。
【００１９】
請求項６記載の発明は、請求項１乃至５のいずれかに記載の光学ヘッドであって、前記光学素子は、前記入射光を所定の位置に集光するための屈折面若しくは反射面若しくは回折面のいずれか１つを少なくとも有することを特徴とする。
【００２０】
この構成によれば、光学素子は屈折面若しくは反射面若しくは回折面のいずれか１つを少なくとも有するので、入射光を所定の位置に有効に集光し得る。
【００２１】
請求項７記載の発明は、光学ヘッドであって、記録媒体と対向する面に浮上に寄与しない部分を有し、記録媒体に情報の記録及び／又は記録媒体から情報の再生を行う際に、当該記録媒体と所定の間隔を保持した状態で浮上し当該記録媒体上を相対的に走行する浮上スライダと、前記浮上スライダに固着され、入射光を所定の位置に集光する光学素子と、を備え、前記光学素子の重さをｗ（ｍｇ重）、前記浮上スライダの平均厚さをｈ（ｍｍ）としたときに、条件式ｗ／ｈ３≦５００００を満たすことを特徴とする。
【００２２】
この構成によれば、浮上スライダと光学素子とを備えた光学ヘッドにおいて、光学素子の重さと浮上スライダの平均厚さとの間に条件を課している。通常、光学素子の重さが軽い方が、また浮上スライダの平均厚さが厚い方が浮上スライダのたわみ量を小さく抑えることができる。これを具体的な条件式の形で課すことにより、たわみ量を小さく抑えることが可能となり、光学ヘッドにおいて浮上スライダと記録媒体との接触等の不具合を防止し、安定した浮上を実現し得る。
【００２３】
ここで、浮上に寄与しない部分とは、浮上スライダにおいて、通常の浮上スライダに備えられている凹凸パターン（浮上用構造）等を有さない面のことである。また、浮上スライダの平均厚さとは、浮上スライダにおいて、たわみの大きさを決定する部分のみの厚さの平均である。つまり、浮上スライダのたわみに影響を与えない部分の厚さは考慮する必要がない。さらに、ある質量の物体に働く重力の大きさが重さであり、例えば質量Ａ（ｍｇ）の物体に働く重力の大きさ（重さ）がＡ（ｍｇ重）である。
【００２４】
請求項８記載の発明は、請求項７記載の光学ヘッドであって、前記光学素子の重さｗが、０．２（ｍｇ重）以上４０（ｍｇ重）以下であることを特徴とする。
【００２５】
この構成によれば、入射光の集光位置を記録媒体に近づけ得る。また、光学素子の重さｗが０．２（ｍｇ重）以上あるので、例えば、光学素子と浮上スライダとの固着等の際の取り扱いに困難が生じない程度の大きさを確保し得る。さらに、光学素子の重さｗを４０（ｍｇ重）以下に抑えてあるので、それを支える浮上スライダの幅や厚さを小さく抑え得る。
【００２６】
請求項９記載の発明は、請求項７又は８に記載の光学ヘッドであって、前記浮上スライダの平均厚さｈが、０．０１（ｍｍ）以上０．６（ｍｍ）以下であることを特徴とする。
【００２７】
この構成によれば、入射光の集光位置を記録媒体に近づけ得る。また、浮上スライダの平均厚さｈが０．０１（ｍｍ）以上あるので、取り扱いに困難は生じず、取り扱い時の破損等を防ぎ得る。さらに、浮上スライダの平均厚さｈを０．６（ｍｍ）以下に抑えてあるので、浮上スライダに固着される光学素子の厚さをその分厚くし、必要な厚さを確保し得る。
【００２８】
請求項１０記載の発明は、請求項７乃至９のいずれかに記載の光学ヘッドであって、前記光学素子は、前記入射光に対する透過率が５０％以上である材料からなることを特徴とする。
【００２９】
この構成によれば、光学素子の透過率が５０％以上であるので、記録に必要な光量を少なくし、光学素子が光を吸収することによる発熱を小さく抑え得る。また、記録媒体の回転数を軸受機構により回転可能な程度にまで低く抑え得る。さらに、集光点に集光される光量の減少も小さく抑えることができるため、当該集光点から滲み出す近接場光の光量の減少も小さく抑え得る。
【００３０】
請求項１１記載の発明は、請求項７乃至１０のいずれかに記載の光学ヘッドであって、前記浮上スライダは、前記入射光に対する透過率が５０％以上である材料からなることを特徴とする。
【００３１】
この構成によれば、浮上スライダの透過率が５０％以上であるので、記録に必要な光量を少なくし、浮上スライダが光を吸収することによる発熱を小さく抑え得る。また、記録媒体の回転数を軸受機構により回転可能な程度にまで低く抑え得る。さらに、集光点に集光される光量の減少も小さく抑えることができるため、当該集光点から滲み出す近接場光の光量の減少も小さく抑え得る。
【００３２】
請求項１２記載の発明は、請求項７乃至１１のいずれかに記載の光学ヘッドであって、前記光学素子は、前記入射光を所定の位置に集光するための屈折面若しくは反射面若しくは回折面のいずれかを有することを特徴とする。
【００３３】
この構成によれば、光学素子は屈折面若しくは反射面若しくは回折面のいずれか１つを少なくとも有するので、入射光を所定の位置に有効に集光し得る。
【００３４】
請求項１３記載の発明は、光学ヘッドであって、記録媒体に情報の記録及び／又は記録媒体から情報の再生を行う際に、所定の浮上量を保ちながら当該記録媒体上を相対的に走行する浮上スライダと、前記浮上スライダに固着され、入射光を所定の位置に集光する光学素子と、を備え、前記浮上スライダのたわみ量が前記浮上量より小さいことを特徴とする。
【００３５】
この構成によれば、浮上スライダのたわみ量が浮上量より小さいために、記録媒体に情報の記録及び／又は記録媒体から情報の再生を行う際に、浮上スライダが記録媒体に接触する等の不具合を防止し得る。
【００３６】
請求項１４記載の発明は、光記録／再生用光学装置であって、所定の波長のレーザ光を出射する光源と、前記光源が出射するレーザ光を入射光として所定の位置に集光する請求項１乃至１３のいずれかに記載の光学ヘッドを備え、当該光学ヘッドにより記録媒体に情報の記録及び／又は記録媒体から情報の再生を行うことを特徴とする。
【００３７】
この構成によれば、記録媒体に情報の記録及び／又は記録媒体から情報の再生を行う際に、浮上スライダのたわみ量を小さく抑えることが可能となり、浮上スライダと記録媒体との接触等の不具合を防止し、安定した浮上が可能な光記録／再生用光学装置を提供し得る。
【発明の効果】
【００３８】
請求項１記載の発明によれば、光学素子の重さ及び浮上スライダの厚さを規定することで、浮上スライダのたわみ量を許容値内とすることができる。これにより浮上スライダが記録媒体に接触する等の不具合を防止することが可能となり、安定した浮上が可能な光学ヘッドを提供することができる。
【００３９】
請求項２記載の発明によれば、光学素子と浮上スライダとの固着等の際に、光学素子を困難無く取り扱うことができる。また、浮上スライダを小さくすることができるため、製造コストを安く抑えることができる。さらに、慣性モーメントが小さくなるので、トラッキング時、浮上スライダを記録媒体の径方向に駆動させる際に高精度の位置決めが可能となり、記録媒体のうねりに対する追従性も向上する。それに加えて、浮上スライダが記録媒体やその他の機構部品に接触した場合でも、浮上スライダの重さが軽いので衝撃を小さく抑えることが可能となる。
【００４０】
請求項３記載の発明によれば、浮上スライダの取り扱いに困難は生じず、取り扱い時の破損等を防ぐことが可能となる。また、浮上スライダの平均厚さｈを小さく抑えてあるので、浮上スライダに固着される光学素子の厚さをその分厚くし、必要な厚さを確保することができる。
【００４１】
請求項４記載の発明によれば、光学素子の透過率が所定値以上であるので、記録に必要な光量を少なくし、光学素子が光を吸収することによる発熱を小さく抑えることが可能となる。さらに、記録媒体の回転数を軸受機構により回転可能な程度にまで低く抑えることができるので安定した回転数のもとで、光学素子の熱変形を抑え、安定した光学性能を発揮させることができる。また、集光点から滲み出す近接場光の光量の減少も小さく抑えることができるため、近接場光の取出しに困難は生じず、近接場光を用いた記録／再生を安定に行うことが可能となる。
【００４２】
請求項５記載の発明によれば、浮上スライダの透過率が所定値以上であるので、記録に必要な光量を少なくし、浮上スライダが光を吸収することによる発熱を小さく抑えることが可能となる。さらに、記録媒体の回転数を軸受機構により回転可能な程度にまで低く抑えることができるので安定した回転数のもとで、浮上スライダの熱変形を抑え、記録媒体上で安定した浮上を実現することができる。また、集光点から滲み出す近接場光の光量の減少も小さく抑えることができるため、近接場光の取出しに困難は生じず、近接場光を用いた記録／再生を安定に行うことが可能となる。
【００４３】
請求項６記載の発明によれば、光学素子は屈折面若しくは反射面若しくは回折面のいずれか１つを少なくとも有するので、入射光を所定の位置に有効に集光することができる。
【００４４】
請求項７記載の発明によれば、入射光の集光位置を記録媒体に近づけることが可能となる。また、光学素子の重さ及び浮上スライダの厚さを規定することで、浮上スライダのたわみ量を許容値内とすることができる。これにより浮上スライダが記録媒体に接触する等の不具合を防止することが可能となり、安定した浮上が可能な光学ヘッドを提供することができる。
【００４５】
請求項８記載の発明によれば、入射光の集光位置を記録媒体に近づけることが可能となることに加え、光学素子と浮上スライダとの固着等の際に、光学素子を困難無く取り扱うことができる。また、浮上スライダを小さくすることができるため、製造コストを安く抑えることができる。さらに、慣性モーメントが小さくなるので、トラッキング時、浮上スライダを記録媒体の径方向に駆動させる際に高精度の位置決めが可能となり、記録媒体のうねりに対する追従性も向上する。それに加えて、浮上スライダが記録媒体やその他の機構部品に接触した場合でも、浮上スライダの重さが軽いので衝撃を小さく抑えることが可能となる。
【００４６】
請求項９記載の発明によれば、入射光の集光位置を記録媒体に近づけることが可能となる。また、浮上スライダの取り扱いに困難が生じないため、取り扱い時の破損等を防ぐことが可能となる。さらに、浮上スライダの平均厚さｈを小さく抑えてあるので、浮上スライダに固着される光学素子の厚さをその分厚くし、必要な厚さを確保することができる。
【００４７】
請求項１０記載の発明によれば、光学素子の透過率が所定値以上であるので、記録に必要な光量を少なくし、光学素子が光を吸収することによる発熱を小さく抑えることが可能となる。さらに、記録媒体の回転数を軸受機構により回転可能な程度にまで低く抑えることができるので安定した回転数のもとで、光学素子の熱変形を抑え、安定した光学性能を発揮させることができる。また、集光点から滲み出す近接場光の光量の減少も小さく抑えることができるため、近接場光の取出しに困難は生じず、近接場光を用いた記録／再生を安定に行うことが可能となる。
【００４８】
請求項１１記載の発明によれば、浮上スライダの透過率が所定値以上であるので、記録に必要な光量を少なくし、浮上スライダが光を吸収することによる発熱を小さく抑えることが可能となる。さらに、記録媒体の回転数を軸受機構により回転可能な程度にまで低く抑えることができるので安定した回転数のもとで、浮上スライダの熱変形を抑え、記録媒体上で安定した浮上を実現することができる。また、集光点から滲み出す近接場光の光量の減少も小さく抑えることができるため、近接場光の取出しに困難は生じず、近接場光を用いた記録／再生を安定に行うことが可能となる。
【００４９】
請求項１２記載の発明によれば、光学素子は屈折面若しくは反射面若しくは回折面のいずれか１つを少なくとも有するので、入射光を所定の位置に有効に集光することができる。
【００５０】
請求項１３記載の発明によれば、記録媒体に情報の記録及び／又は記録媒体から情報の再生を行う際に、浮上スライダが記録媒体に接触する等の不具合を防止することが可能となる。
【００５１】
請求項１４記載の発明によれば、記録媒体に情報の記録及び／又は記録媒体から情報の再生を行う際に、浮上スライダのたわみ量を小さく抑えることが可能となり、浮上スライダと記録媒体との接触等の不具合を防止し、安定した浮上が可能な光記録／再生用光学装置を提供することができる。
【発明を実施するための最良の形態】
【００５２】
図１は、本発明に係る光記録／再生用光学装置の一実施形態を示す模式図である。光記録／再生用光学装置１００は、記録／再生用光学系５０、駆動制御器８０、及び光学素子１０と接着された浮上スライダ１１を備えて構成される。光学素子１０及び浮上スライダ１１の材料としては、例えば、コニカミノルタ社のＵ−ＳＦ６Ｍ、ショット社のＮ−ＬＡＦ３４、ホーヤ社のＭ−ＦＤ８０，住田光学ガラスのＫ−ＶＣ８２等のガラスが例示される。また、透光セラミックスとは透光性に優れたセラミックスであり、例えば、村田製作所のルミセラ等が例示される。
【００５３】
記録／再生用光学系（光源）５０は、記録時に、例えば次世代ＤＶＤの規格であるブルーレイ（Ｂｌｕ−ｒａｙ）ディスクを記録媒体４０として用いる場合には、波長４０５ｎｍの青紫色レーザ光を出射する。また、記録時に、例えば通常のコンパクトディスク（ＣＤ；Ｃｏｍｐａｃｔ  Ｄｉｓｋ）を記録媒体４０として用いる場合には、波長７８０ｎｍのレーザ光を出射する。また、この記録／再生用光学系５０は、出射したレーザ光が記録媒体４０によって反射されて戻ってきたとき（再生時）に、当該戻り光を検出する機能も備えている。
【００５４】
記録時に、記録／再生用光学系５０から出射された所定の波長のレーザ光は、光学素子１０に入射し所定の位置、例えば浮上スライダ１１の記録媒体４０側の面上に集光される。以下、本明細書においては、図１における上向きを上方向、図１における下向きを下方向と定義する。つまり、浮上スライダ１１の記録媒体４０側の面は浮上スライダ１１の「下面」であり、浮上スライダ１１の光学素子１０が接着されている側の面は浮上スライダ１１の「上面」である。
【００５５】
浮上スライダ１１の下面に光が集光されると、その光は浮上スライダ１１から記録媒体４０側に向かって空気中にわずかながら滲み出す。この滲み出した光のことを近接場光９０といい、本発明の実施形態においては、この近接場光９０を用いて記録媒体４０に情報の記録及び／又は記録媒体４０から情報の再生を行う。
【００５６】
浮上スライダ１１は、サスペンション１２を介して駆動制御器（ポジショナ）８０に支持されている。そして、光学素子１０、浮上スライダ１１及びサスペンション１２は、支軸１７を回転中心として、駆動制御器８０により記録媒体４０の径方向に駆動制御される。なお、浮上スライダ１１の下面は、鏡面研磨が施されたり、浮上スライダ１１と記録媒体４０との間に流れる空気流を制御して安定した浮上を確保するための浮上用構造と呼ばれる凹凸パターンが形成されたりする、いわゆるＡＢＳ（Ａｉｒ  Ｂｅａｒｉｎｇ  Ｓｕｒｆａｃｅ）面となっている。
【００５７】
記録時又は再生時において、記録媒体４０が回転している場合、浮上スライダ１１と記録媒体４０との間に流れる空気流により、浮上スライダ１１には上向きの揚力が働く。この揚力により、浮上スライダ１１は記録媒体４０と所定の間隔を保ったまま、安定して記録媒体４０上を相対的に走行する。
【００５８】
ただし、光学素子１０の重さの影響があるため、浮上スライダ１１はわずかながらたわんでおり、浮上スライダ１１の下面と記録媒体４０の上面との間隔は一定ではない。つまり、浮上スライダ１１とサスペンション１２との接着点近傍における、浮上スライダ１１の下面と記録媒体４０の上面との間隔（浮上量）より、浮上スライダ１１は光学素子１０が接着されている側において下向きにたわんでいる。したがって、記録／再生に用いる近接場光９０と記録媒体４０の上面との距離（実効浮上量ｔ）は、浮上量からこのたわみ量を引いた分だけ小さくなっている。
【００５９】
浮上スライダ１１の浮上量は、記録／再生に用いるレーザ光の波長オーダー以下にしなければならず、具体的には１０（ｎｍ）〜５０（ｎｍ）程度に設定される。このため、浮上スライダ１１と記録媒体４０との接触を防ぎ、安定した記録／再生を行うためには、たわみ量は浮上量より小さいことが必要である。
【００６０】
なお、記録／再生用光学系５０と光学素子１０との間には、光のビーム径を所定の大きさに絞り込むための集光レンズや、光の偏光方向を調整する偏光板、光の位相を調整する１／４波長板等の機器を適宜配置することが可能である。
【００６１】
以下、図１に示した光記録／再生用光学装置１００に備えられた、本発明に係る光学ヘッド１を図面を参照しつつ説明する。
【００６２】
［実施形態１］
図２は、実施形態１に係る光学ヘッドの概観構成図である。図２（ａ）は光学ヘッド１を入射光側（記録媒体４０とは反対側）から見た図（上面図）であり、図２（ｂ）は光学ヘッド１の縦断面図であり、図２（ｃ）は光学ヘッドを記録媒体側から見た図（下面図）である。また、図２（ｂ）は、図２（ａ）の（光学素子−スライダ接着部１３及び支軸１７の中心を通る）軸ＡＸにおける断面図である。以下、本明細書において「縦断面図」という場合には、この軸ＡＸにおける断面図を指すものとする。
【００６３】
光学ヘッド１は、記録媒体４０に情報の記録及び／又は記録媒体４０から情報の再生を行う際に、当該記録媒体上を相対的に走行する浮上スライダ１１と、浮上スライダ１１に接着され、入射光を所定の位置に集光する光学素子１０とから構成される。また、サスペンション１２は光学ヘッド１と接着され、当該光学ヘッド１の重さを支えている。さらに、サスペンション１２は、支軸１７を支点として回動可能とされている。
【００６４】
光学素子１０は、例えば硝材ＬａＳＦ，ＬａＦ等の高屈折率物質からなり、レーザ光等の入射光を浮上スライダ１１の下面や記録媒体中の記録層等の所定の位置に集光する。入射光が浮上スライダ１１の下面に集光された場合には、光は近接場光として当該集光点から空気中にわずかながら滲み出す。
【００６５】
光学素子１０として、この実施形態では固浸ミラー（ＳＩＭ）の例を図示している。この固浸ミラー（光学素子１０）の入射光側の面Ｓ１は、入射する光の角度によって当該光を透過又は反射する多層膜によってコーティングされている。つまり、面Ｓ１の法線方向と面Ｓ１に入射する光とのなす角が小さい場合（空気側から光が面Ｓ１に入射する場合）、面Ｓ１による反射率は小さく、面Ｓ１はほとんどの光を透過する。それに対して、面Ｓ１の法線方向と面Ｓ１に入射する光とのなす角が大きい場合（一度光学素子１０の浮上スライダ１１側の面Ｓ２で反射されてから面Ｓ１に入射する場合）、面Ｓ１による反射率が大きいため、面Ｓ１はほとんどの光を反射する。
【００６６】
また、光学素子１０の浮上スライダ１１側の面Ｓ２は、Ａｌ膜等によってコーティングされており、常に光を反射するミラー面（光反射面）とされている。ただし、面Ｓ２の中央はＡｌ膜等によるコーティングがされていない開口部を有しており、面Ｓ１で反射された光は当該開口部を介して面Ｓ２を透過する。つまり、固浸ミラーの上面Ｓ１は屈折面及び反射面としての機能を有し、固浸ミラーの下面Ｓ２は反射面としての機能を有する。
【００６７】
また、光学素子１０と浮上スライダ１１とは、光学素子−スライダ接着部１３において、ＵＶ（紫外線）硬化性樹脂により接着されている。このＵＶ硬化性樹脂は、入射光として用いられる光の波長領域における透過率が高い材料からなり、例えば、ノーランド社のＮＯＡ６０やイーエムアイ社の３５１４―ＨＭ等である。また、光学素子１０の浮上スライダ１１と対向する面の中心部（接着部）は、安定した接着を可能とするために平面になっていることが好ましい。光学素子１０と浮上スライダ１１とを接着する際には、接着部における干渉縞を観察しながら光学素子１０と浮上スライダ１１との相対的な傾きを調整し、ＵＶ硬化性樹脂により接着する。なお、ＵＶ硬化性樹脂等の接着材を用いず、機械的な嵌め合わせ構造等により光学素子１０と浮上スライダ１１とを固着するようにしてもよい。
【００６８】
このように光学素子１０と浮上スライダ１１とを別々に作製してそれらを固着することの利点は、この方が高い性能の光学ヘッド１を作製でき、かつ量産性に優れているからである。個別にみると、光学素子１０に関しては、面形状の加工精度を上げるためには、モールド法による作製が向いている。また、浮上スライダ１１に関しては、例えば浮上用構造１６の作製には、平面基板にエッチングなどの半導体プロセスを用いることが適している。したがって、それぞれの部材（光学素子１０及び浮上スライダ１１）を最適な方法にて作製し、それらを固着することが好ましい。
【００６９】
浮上スライダ１１は、サスペンション−スライダ接着部１４においてサスペンション１２と接着されている。浮上スライダ１１は、サスペンション１２によって記録媒体上において安定に支持され、記録媒体４０の回転時に浮上スライダ１１と当該記録媒体４０との間に流れる空気流により揚力を受ける。これにより、浮上スライダ１１は、記録媒体４０との間隔（浮上量）をほぼ一定に保った状態で、当該記録媒体上を相対的に走行する。
【００７０】
また、浮上スライダ１１の記録媒体対向面には、記録媒体４０の回転時に浮上スライダ１１と記録媒体４０との間に流れる空気流を制御して、安定した浮上を実現するための浮上用構造１６が形成されている。ただし、浮上用構造１６の高さは数十〜数百（ｎｍ）の程度であり、浮上スライダ１１の厚さ（数ｍｍ程度）に比べてかなり小さいので、図２（ｂ）の縦断面図においては図示していない。
【００７１】
さらに、浮上スライダ１１の記録媒体側の面（記録媒体と対向する面）には流出端カット１５と呼ばれる切込みが形成されている。この流出端カット１５は、後述するように、集光点を記録媒体４０により近づけるようにするためのものである。また、この流出端カット１５は、浮上用構造１６を有する領域とは異なり、浮上スライダ１１の浮上に寄与しない部分である。
【００７２】
以下、本実施形態及び他の実施形態においても、浮上スライダ１１には流出端カット１５が形成されているものとして説明を行うが、本発明に係る実施形態はそれに限られず、浮上スライダ１１には流出端カット１５が形成されていなくてもよい。特に、光学素子１０が軽い場合や浮上スライダ１１の平均厚さが厚い場合など、浮上スライダ１１のたわみが小さいときには、流出端カット１５が形成されていなくとも集光点を記録媒体４０に近づけることが可能である。
【００７３】
記録再生に用いるレーザ光等の入射光は、光学素子１０及び浮上スライダ１１を透過して、記録媒体に至る。そのため、光学素子１０及び浮上スライダ１１はともに、少なくとも入射光の波長領域における透過率が高い材料を用いて形成されていることが好ましい。
【００７４】
具体的には、光学素子１０及び浮上スライダ１１のいずれか少なくとも一方は、入射光に対する透過率が５０％以上である材料からなることが好ましい。さらには、光学素子１０及び浮上スライダ１１のいずれか少なくとも一方は、入射光に対する透過率が７０％以上である材料からなることがより好ましい。これは透過率が低いと、記録に必要な光量が多くなり光源（記録／再生用光学系５０）の発熱が無視できなくなるためである。また、光源だけではなく、光学素子１０や浮上スライダ１１が光を吸収することによる発熱も無視できなくなる。そして、光学素子１０の発熱量が大きくなると、光学素子１０において熱変形が生じ、安定した光学性能を発揮させることが困難となる。また、浮上スライダ１１の発熱量が大きくなると、浮上スライダ１１において熱変形が生じ、浮上スライダ１１が記録媒体４０に対して浮上しなくなってしまう。
【００７５】
以下、具体的な実験結果を示す図と表とを用いて、上記の透過率の値の根拠を示す。図９は、記録媒体４０にスポット光を照射し、当該記録媒体上のスポット部分の温度を縦軸に、スポット光を照射した時間（光照射時間）を横軸にとり、スポット光強度を変えて行った実験の結果を元に行ったシミュレーションの結果を示す。スポット光の強度は３６．６（ｍＷ）を１００％（光学素子１０に入射する前の入射光の強度に相当）とし、それ以外に３２．９（ｍＷ）（９０％），２９．３（ｍＷ）（８０％），２５．６（ｍＷ）（７０％），２２．０（ｍＷ）（６０％），１８．３（ｍＷ）（５０％）の計６つの条件でシミュレーションを行った。この実験に用いた通常の記録媒体４０では３００℃付近で記録マークが作製されると推定されるので、記録を行うためにはスポット部分の温度が３００℃に達するまでスポット光の照射をし続けなければならない。
【００７６】
スポット光の強度と、当該強度のスポット光を用いた場合に記録媒体上のスポット部分の温度が室温から３００℃に達するまでの時間とを対応させて表１に示す。つまり、スポット光の強度が１００％の場合には１（μｓｅｃ；マイクロ秒）で記録できる温度に達するが、スポット光の強度が７０％の場合には３（μｓｅｃ）、５０％の場合には１０（μｓｅｃ）と、それぞれ１００％の場合の３倍、１０倍の時間が必要となる。
【００７７】
【表１】
2007073112.tif 000003
【００７８】
現在のＨＤＤに用いられる記録媒体４０の回転数は、５４００（ｒｐｍ）〜１５０００（ｒｐｍ）程度であるが、記録／再生データの転送速度を実用レベルで維持するためには、上記回転数の１／３程度が下限となる。また、記録媒体４０がディスクである場合、光を記録媒体４０に照射してから記録が可能となるまでの時間が３倍必要である（光強度が入射光の強度の７０％である）場合には、強度１００％入射光を用いた場合と同等の記録／再生を行うためにはディスクの回転数を１／３にしなければならない。
【００７９】
したがって、記録／再生データの転送速度を実用レベルで維持するためには、ディスクに照射される光の強度は、光学素子１０に入射する前の入射光の強度の７０％以上であることが必要である。これは、つまり、光学素子１０の透過率が１００％である場合には、浮上スライダ１１には７０％以上の透過率が要求されることを意味する。また、同様に、浮上スライダ１１の透過率が１００％である場合には、光学素子１０には７０％以上の透過率が要求されることを意味する。
【００８０】
次に、現在のＨＤＤにおけるディスクの回転数として、ＩＤＥ（Integrated Drive Electronics）規格では最低で５４００（ｒｐｍ）が想定されている。この回転数の１０倍は５４０００（ｒｐｍ）であり、これは軸受鋼製の玉軸受の高速限界の回転数５００００（ｒｐｍ）にほぼ等しい。光強度が入射光の強度の５０％より小さいと、ディスクの回転数を１０倍以上にしなければならないため、この５０％という光強度がディスクを回転させて記録／再生する場合の限界となる。
【００８１】
また、スピンドル回転軸の振れ回りの、回転に同期しない非繰り返し成分（ＮＲＲＯ）は、ＨＤＤのデータが記録されているトラックピッチ誤差に影響を与える。特に、ＮＲＲＯは、高速回転時のディスク周辺の気流や、モータから発生する振動などにより発生すると考えられているため、トラックピッチ誤差を小さく抑えたままでディスクの回転数を極端に高速化することは困難である。したがって、ディスクに照射される光の強度は入射光の強度の５０％以上であることが要求される、つまり光学素子１０及び浮上スライダ１１には５０％以上の透過率が要求される。また、光学素子１０及び浮上スライダ１１の透過率がともに７０％である場合には、それらを合わせた全体の透過率は（７０％×７０％なので）、ほぼ５０％となる。
【００８２】
また、透過率が低いと集光点に集光される光量が減少するために、当該集光点から滲み出す近接場光９０の光量もそれに応じて減少する。そのため、近接場光９０の取出しが困難となったり、近接場光９０を用いた記録／再生が安定に行えなくなるなどの不具合が生じる。この場合も、光学素子１０及び浮上スライダ１１のいずれか少なくとも一方の透過率は５０％以上であることが好ましく、７０％以上であることがより好ましい。
【００８３】
以上説明した光学素子１０及び浮上スライダ１１の透過率に関する条件は、本実施形態に限定されるものではなく、以下の他の実施形態においても同様に当てはまる。
【００８４】
また、浮上スライダ１１の図２（ａ）における横方向の長さをｌ、縦方向の長さをｂとし、図２（ｂ）に示したように上下方向の厚さをｈとする。さらに、浮上スライダ１１の光学素子１０が接着されている側の端から光学素子−スライダ接着部１３の中心までの長さをｌ１、光学素子−スライダ接着部１３の中心からサスペンション−スライダ接着部１４の中心までの長さをｌ２、サスペンション−スライダ接着部１４の中心から浮上スライダ１１のサスペンション１２側の端までの長さをｌ３とする。つまり、ｌ＝ｌ１＋ｌ２＋ｌ３である。また、流出端カット１５の図２における横方向の幅をｌ４とする。
【００８５】
以下、前述の厚さｈはｌ２の範囲では一定として扱うが、ｌ２の範囲で厚さが変わる場合には厚さｈはその範囲の平均厚さを意味するものとする。つまり、浮上スライダ１１の厚さｈとは、浮上スライダ１１において、たわみの大きさを決定する部分（今の場合、図２におけるｌ２の範囲）のみの厚さの平均である。
【００８６】
また、図２に示した形態では、光学素子とスライダ、及びサスペンションとスライダの接着部は、それぞれ光学素子−スライダ接着部１３、サスペンション−スライダ接着部１４の１点ずつである。しかしながら、本発明に係る実施形態はそれに限られることなく、複数の接着部を有する場合にも適用可能である。例えば、サスペンション１２が複数の点において浮上スライダ１１と接着されている場合を考える。その場合、当該複数の接着部の重心から浮上スライダ１１のサスペンション１２側の端までの最短の長さをｌ３とする。長さｌ２に関しても同様である。つまり、長さｌ２，ｌ３は、複数の接着部がある場合には、それら接着部の重心までの長さとして定義されるものである。後述のモデル計算（図５参照）においても、長さｌ１，ｌ２，ｌ３には上記の定義を用いている。
【００８７】
図３は、光学素子１０が入射光を集光する際の光路を説明するための模式図である。図３（ａ）は入射光を浮上スライダ１１の記録媒体側の面に集光する場合を示し、図３（ｂ）は入射光を記録媒体４０の記録面４１に集光する場合を示している。
【００８８】
まず、図３（ａ）に示したように、光学素子１０への入射光Ｌ１は、光学素子１０の浮上スライダ１１側の面Ｓ２で反射され、続いて光学素子１０の入射光側の面Ｓ１で反射された後、面Ｓ２の開口部を透過する。光学素子１０を透過したこの光は、浮上スライダ１１中を記録媒体４０に向かって進み、浮上スライダ１１の下面において集光させられる。この集光した点を集光点３０という。そして、この集光点３０を中心として、空気中にわずかながら近接場光が浸み出すこととなる。
【００８９】
次に、記録媒体４０内部の記録層４１に集光する場合には、図３（ｂ）に示したように、光学素子１０への入射光Ｌ２が、光学素子１０の浮上スライダ１１側の面Ｓ２で反射され、続いて光学素子１０の入射光側の面Ｓ１で反射された後、面Ｓ２の開口部を透過する。そして、光学素子１０を透過したこの光は、続いて浮上スライダ１１も透過し、浮上スライダ１１と記録媒体４０との間隔（実効浮上量ｔ）及び０．１（ｍｍ）程度の厚さを有する記録媒体４０の保護層を介して記録媒体４０中の記録層４１に集光させられる。
【００９０】
この図３（ｂ）の場合には、光学素子１０によって集光された光は、浮上スライダ１１の下面を透過してさらに空気中を進んでいく。そのため、流出端カット１５が光路Ｌ２にかかると集光点がずれるという不具合が発生する。したがって、図３（ａ）の場合とは異なり、流出端カット１５は光路Ｌ２を遮らない形状であることが必要とされる。つまり、流出端カット１５の幅ｌ４はｌ１よりも小さく、光路Ｌ２を遮らない長さに設定されることが必要である。
【００９１】
図４は、浮上スライダ１１が光学素子１０の重さによってたわんでいる状態を説明するための模式図である。浮上スライダ１１の下面と記録媒体４０の上面との間隔である浮上量Ｆは、浮上スライダ１１の下面において、サスペンション−スライダ接着部１４と対向する位置から記録媒体４０の上面までの間隔として定義される。近接場光を用いた光記録／再生においては、この浮上量Ｆを、浮上スライダ１１が回転している記録媒体４０から受ける揚力により、１０（ｎｍ）〜５０（ｎｍ）程度に保つ必要がある。したがって、光学素子１０の重さに起因する浮上スライダ１１のたわみ量ｄは、浮上量Ｆより小さく抑える必要がある。
【００９２】
図４に示したように、入射光は光路Ｌ３に従って進んでいき集光点３０において集光される。このとき、集光点３０は、流出端カット１５の下端に一致することが好ましい。ここで、流出端カット１５の下端とは、流出端カット１５の面と浮上スライダ１１の下面との交線上の一点のことである。これにより、集光点３０を記録媒体４０に最も有効に近づけることが可能となる。
【００９３】
図５は、浮上スライダ１１が光学素子１０の重さによりたわむ量を計算するためのモデルを示す模式図である。浮上スライダ１１において、サスペンション−スライダ接着部１４から浮上スライダ１１のサスペンション１２側の端までの部分はたわまないので、ここではその長さｌ３を無視している。したがって、モデル化された浮上スライダ１１ａの一端は壁２０に固定され（固定端）、その長さは図に示すようにｌ１＋ｌ２であり、厚さはｈである。そして、図の荷重位置に光学素子１０の重さｗがかかることになる。
【００９４】
荷重位置におけるたわみ量νは、Ｅを縦弾性係数（ヤング率）、Ｉを断面二次モーメントとして、ｗの単位をｍｇ重、ｈの単位をｍｍにすると、次の式で算出される。
【００９５】
【数１】
2007073112.tif 000004
【００９６】
ここで、浮上スライダ１１ａの断面形状は矩形であるので、断面二次モーメントＩは、次の式で算出される。
【００９７】
【数２】
2007073112.tif 000005
【００９８】
荷重位置におけるたわみ量νは、浮上量Ｆより小さくなければならないので、式（１）と式（２）とから断面二次モーメントＩを消去して、νが５０（ｎｍ）以下であることから次の式を得る。
【００９９】
【数３】
2007073112.tif 000006
【０１００】
ここで、浮上スライダ１１の材料としては、通常よく用いられる石英を想定し、式（３）にＥ＝８０（ＧＰａ）、ｂ＝１．５（ｍｍ）、ｌ２＝１．５（ｍｍ）という値を代入すると次の式を得る。
【０１０１】
【数４】
2007073112.tif 000007
【０１０２】
上記の解析では、νが５０（ｎｍ）以下であるとして、式（３）及び（４）を導出したが、近接場光を用いるためνはさらに小さく、１０（ｎｍ）以下であることが好ましい。この場合、式（３）及び（４）にそれぞれ相当する式（５）及び（６）は、次のようになる。
【０１０３】
【数５】
2007073112.tif 000008
【０１０４】
上記のＥ，ｂ，ｌ２を式（３）及び式（５）の右辺に代入しても、それぞれ式（４）及び式（６）の右辺と一致する数値が得られる訳ではないが、ここでは近似的なものとして式（４）及び式（６）にはそのまま等号を残してある。
【０１０５】
次に、光学素子１０の重さｗの範囲について考察を行う。以下、３．８１という値をガラスの代表的な比重として用いる。光学素子１０の重さｗは、０．２（ｍｇ重）以上４０（ｍｇ重）以下であることが好ましい。０．２（ｍｇ重）という値は、例えば直径０．８ｍｍ、厚さ０．１（ｍｍ）の円柱の重さにほぼ相当する。このくらいの大きさが、光学素子１０と浮上スライダ１１との接着等の際に取り扱うことが可能な最小の値である。
【０１０６】
また、４０（ｍｇ重）という値は、上と同じ厚さ０．１（ｍｍ）で考えると、直径１１．５（ｍｍ）の円柱の重さにほぼ相当する。光学素子１０の径が大きくなると、それだけ浮上スライダ１１の幅（特にｂ）も大きくする必要がある。
【０１０７】
例えば、次世代ハードディスクドライブ（ＨＤＤ）として、近接場光アシスト磁気記録が研究されている。そのＨＤＤのディスク径としては、３．５，２．５，１．８，０．８５インチのものが検討されている。このうち、０．８５インチ径（直径２２（ｍｍ））のディスクはモバイル機器向けであるが、この半径１１（ｍｍ）のディスクに対して記録／再生するためには、浮上スライダ１１の幅を１１（ｍｍ）以下にする必要がある。したがって、光学素子１０の重さを４０（ｍｇ重）以下とすることで、浮上スライダ１１の幅を０．８５インチ径のディスクに対しても記録／再生が可能な程度に狭く、かつ浮上スライダ１１の全体の大きさを小さくすることができ、それにより、製造コストを安く抑えることも可能となる。
【０１０８】
また、慣性モーメントが小さくなるので、トラッキング時、浮上スライダ１１を記録媒体４０の径方向に駆動させる際に高精度の位置決めが可能となり、記録媒体４０のうねりに対する追従性も向上する。さらに、浮上スライダ１１が記録媒体４０やその他の機構部品に接触した場合でも、浮上スライダ１１の重さが軽いので衝撃を小さく抑えることが可能となる。
【０１０９】
さらには、光学素子１０の重さｗは、１．０（ｍｇ重）以上１５（ｍｇ重）以下であることがより好ましい。１．０（ｍｇ重）という値は、例えば直径０．８（ｍｍ）、厚さ０．５（ｍｍ）の円柱の重さにほぼ相当する。光学素子１０の径が小さくなると、入射光に対する集光効率が低下する。また、光学素子１０の厚さが薄くなると、入射光を集光させるための屈折面若しくは反射面若しくは回折面の製造が困難となる。１．０（ｍｇ重）という値は、集光効率を必要な大きさに保ったままで、かつ屈折面若しくは反射面若しくは回折面の製造に困難を要しない程度の最小の値である。
【０１１０】
また、１５（ｍｇ重）という値は、上と同じ直径０．８（ｍｍ）で考えると、厚さ７．５（ｍｍ）の円柱の重さにほぼ相当する。現行のＨＤＤのように記録媒体４０を何枚も重ねる構成の場合、光記録／再生用光学装置全体を小さくするためにも光学素子１０の高さをなるべく低く抑えたい。
【０１１１】
例えば、すでに量産されている東芝製１．８インチＨＤＤ（８０Ｇバイト）の装置の高さ（ＨＤＤのディスクの回転軸方向の厚さ）は８（ｍｍ）である。したがって、光学素子１０の高さもその範囲内に収まることが必要である。すなわち、光学素子１０の高さは８（ｍｍ）以下であることが好ましい。つまり、１５（ｍｇ重）という値は、浮上スライダ１１の幅を小さく保ったままで、かつ光学素子１０の高さを許容範囲に抑える程度の最大の値である。
【０１１２】
次に、浮上スライダ１１の厚さｈの範囲について考察を行う。浮上スライダ１１の厚さｈは、０．０１（ｍｍ）以上０．６（ｍｍ）以下であることが好ましい。厚さｈが０．０１（ｍｍ）より薄いと、取り扱い時に破損しやすいなど、取り扱いが困難である。また、厚さｈが０．６（ｍｍ）より厚いと、浮上スライダ１１に接着される光学素子１０の厚さが薄くなってしまい製造が困難となる。さらに、この０．６（ｍｍ）という値は、ナノスライダと呼ばれる現行のＨＤＤのスライダの厚さである。通常のＨＤＤにおいては、ディスクを積み重ねる（スタックする）構造のために、スライダもなるべく薄くする必要がある。そのため、今後の小型化・軽量化のためには、現行のスライダの厚さである０．６（ｍｍ）よりも薄くすることが好ましい。
【０１１３】
さらには、浮上スライダ１１の厚さｈは、０．０５（ｍｍ）以上０．３（ｍｍ）以下であることがより好ましい。厚さｈが０．０５（ｍｍ）より薄いと、機械を介さず人の手によるハンドリングを行うことが困難となる。また、厚さｈが０．３（ｍｍ）より厚いと、光学素子１０の厚さが薄くなってしまうため、軸外収差などの光学特性を良好に保つ光学素子１０の製造が困難となる。
【０１１４】
以上説明した光学素子１０の重さｗの範囲、浮上スライダ１１の厚さｈの範囲、及び式（４）又は（６）によって規定される重さｗと厚さｈとの関係は、本実施形態に限定されるものではなく、以下の他の実施形態においても同様に当てはまる。
【０１１５】
また、本実施形態及び以下の他の実施形態において、光学素子１０及び浮上スライダ１１の材料としては屈折率が均等であり、かつ光の吸収が少ないガラスあるいは透光セラミックスが好ましい。さらにその屈折率は高い方がより好ましい。高屈折率の材料を用いると、同じ屈折力を得るのに曲率半径が大きくてもよいため、特に光学素子１０の厚さを薄くすることができる。
【０１１６】
さらに、ガラスあるいは透光セラミックスは、量産性を考慮すると成形加工性がよいことが好ましく、浮上スライダ１１の浮上用構造１６等の加工性を考慮するとエッチング加工等がし易いことが好ましい。したがって、光学素子１０及び浮上スライダ１１の材料としては、透明で加工性に優れた石英（ＳｉＯ２）や、エッチング加工が行えるパイレックス（登録商標）等も使用することができる。
【０１１７】
光学素子１０の重さｗと浮上スライダ１１の厚さｈとが、上記した式（４）、さらに好ましくは式（６）を満たすことにより、光学素子１０の重さに起因する浮上スライダ１１のたわみ量を浮上量よりも小さく抑えることができる。そのため、本発明に係る光学ヘッドを備えた光記録／再生用光学装置を用いれば、安定した記録／再生動作を行うことが可能となる。
【０１１８】
［他の好ましい実施形態］
（Ａ）以上説明した実施形態においては、図４に示したように、浮上スライダ１１がたわんだときに流出端カット１５の面が記録媒体４０の上面とほぼ平行になるように形成されていた。しかしながら、それに限られることなく、本発明の実施形態に係る浮上スライダ１１の流出端カットは、それ以外の形状を有するものであってもよい。
【０１１９】
図６は、光学ヘッドにおける流出端カットの他の一形態を示す縦断面図である。この図に示した形態では、流出端カット１５ａは、浮上スライダ１１から直方体形状にくり抜かれた形状を有している。そして、端点ｘ３の位置が集光点であるとする。このとき、流出端カット１５ａの端点ｘ１と他の端点ｘ３とは、浮上スライダ１１が光学素子１０の重さでたわんだときに、端点ｘ３の方が記録媒体４０の近くに位置するように設定されていることが好ましい。これにより、実施形態１における流出端カット１５と同様に、浮上スライダ１１がたわんだ状態であっても、集光点を記録媒体４０に近づけることが可能となる。
【０１２０】
また、端点ｘ２と端点ｘ３との距離は小さいので、端点ｘ２が光路Ｌ４を遮る影響も小さい。しかしながら、端点ｘ２の位置をより端点ｘ１側にずらすことで、光路Ｌ４を遮ることを防ぐこともまた可能である。
【０１２１】
（Ｂ）以上説明した実施形態においては、光学素子１０は固浸ミラー（ＳＩＭ）であるとして説明した。しかしながら、それに限られることなく、本発明の実施形態に係る光学素子１０は、レンズ等の他の光学素子であってもよい。
【０１２２】
図７は、光学素子１０として固浸レンズ（ＳＩＬ）１０ａを用いた場合の光学ヘッドを示す模式図である。この図は、図２（ｂ）と同様、光学ヘッド１の縦断面図である。固浸レンズ（光学素子１０ａ）への入射光Ｌ５は、光学素子１０ａの上面Ｓ３において屈折し、光学素子１０ａの内部を透過する。つまり、固浸レンズの上面Ｓ３は、屈折面としての機能を有する。光学素子１０を透過したこの光は、浮上スライダ１１中をさらに記録媒体４０に向かって進み、浮上スライダ１１の下面において集光させられる。前述の実施形態１と同様に、この集光点３０ｂの位置は、流出端カット１５の一端と一致していることが好ましい。
【０１２３】
図８（ａ）は、光学素子１０として回折レンズ１０ｂを用いた場合の光学ヘッドを示す模式図であり、図８（ｂ）は、当該回折レンズ１０ｂの縦断面図と上面図とを対応させて示した模式図である。回折レンズ（光学素子１０ｂ）への入射光Ｌ６は、光学素子１０ｂの上面Ｓ４において回折し、光学素子１０ｂの内部を透過する。つまり、回折レンズの上面Ｓ４は、回折面としての機能を有する。光学素子１０を透過したこの光は、浮上スライダ１１中をさらに記録媒体４０に向かって進み、浮上スライダ１１の下面において集光させられる。前述の実施形態１と同様に、この集光点３０ｃの位置は、流出端カット１５の一端と一致していることが好ましい。
【０１２４】
この回折レンズを上から見ると、図８（ｂ）に示したように同心円状の凹凸が形成されている。この円の半径や円の個数等は、入射光として用いるレーザ光の波長等に応じて、適宜設定されればよい。
【図面の簡単な説明】
【０１２５】
【図１】本発明に係る光記録／再生用光学装置の一実施形態を示す模式図である。
【図２】実施形態１に係る光学ヘッドの概観構成図であり、（ａ）は上面図、（ｂ）は縦断面図、（ｃ）は下面図である。
【図３】光学素子が入射光を集光する際の光路を説明するための模式図であり、（ａ）は浮上スライダ１１の下面に集光した場合、（ｂ）は記録媒体中の記録層に集光した場合をそれぞれ示す。
【図４】浮上スライダが光学素子の重さによってたわんでいる状態を説明するための模式図である。
【図５】浮上スライダが光学素子の重さによりたわむ量を計算するためのモデルを示す模式図である。
【図６】光学ヘッドにおける流出端カットの他の一形態を示す縦断面図である。
【図７】光学素子として固浸レンズを用いた場合の光学ヘッドを示す模式図である。
【図８】（ａ）は光学素子として回折レンズを用いた場合の光学ヘッドを示す模式図であり、（ｂ）は当該回折レンズの縦断面図と上面図とを対応させて示した模式図である。
【図９】記録媒体上のスポット光が照射されている部分の温度を縦軸に、スポット光を照射した時間（光照射時間）を横軸にとり、スポット光強度を変えて行った実験の結果を元に行ったシミュレーションの結果を示すグラフである。
【符号の説明】
【０１２６】
ｔ  実効浮上量
ｄ  たわみ量
Ｆ  浮上量
１  光学ヘッド
１０  光学素子
１１  浮上スライダ
１２  サスペンション
１５  流出端カット
４０  記録媒体
９０  近接場光
１００  光記録／再生用光学装置
【図１】
2007073112.tif 000009
【図２】
2007073112.tif 000010
【図３】
2007073112.tif 000011
【図４】
2007073112.tif 000012
【図５】
2007073112.tif 000013
【図６】
2007073112.tif 000014
【図７】
2007073112.tif 000015
【図８】
2007073112.tif 000016
【図９】
2007073112.tif 000017